(57)【特許請求の範囲】
【請求項１】
断面四角形で中空の各框材（１０）を方形に組み合わせた金属製の縁枠（１）の正面側に方形のパネル（２）を重ね、前記パネル（２）をアルミニウム又はアルミニウム合金製の押出形材からなる各押さえプレート（３）により各框材（１０）の正面側へ押し付けたパネル取付構造であって、
前記押さえプレート（３）は、縁枠（１）の外周面であるそれぞれの框材（１０）の外側面へ被さる状態の主部（３０）と、対応する框材（１０）の正面側幅の全部又は一部へ被さりかつ先端部が当該框材（１０）の方向へ曲げ下げられて前記パネル（２）へ接触するパネル押さえ部（３１）と、対応する框材（１０）の背面側外周角部へ引っ掛けられる断面鈎状の引掛部（３２）とから構成され、
さらに前記押さえプレート（３）は、引掛部（３２）を対応する框材（１０）の背面側外周角部へ引っ掛けて主部（３０）へ形成されているボルト通し孔（３０ａ）から前記框材（１０）の内側に設けられたナット（１０ａ）へねじ４をねじ込んだとき、前記パネル押さえ部（３１）が前記框材（１０）の正面側へ徐々に被さるように前記引掛部（３２）を支点として回動可能であって、かつ前記パネル押さえ部（３１）により前記パネル（２）が前記框材（１０）の正面側へ押付けられる状態に構成されている、
ことを特徴とする方形縁枠へのパネル取付構造。
【請求項２】
前記縁枠（１）の一辺における押さえプレート（３）の主部（３０）には、前記各ボルト通し孔（３０ａ）から前記縁枠（１）の背面側へ連続するスリット（３０ｂ）が形成されている、請求項１に記載の方形縁枠へのパネル取付構造。
【発明の詳細な説明】
【０００１】
【発明の属する技術分野】
本発明は、路上標識（主として道路その他車や人が往来する路面やその近傍で使用される）や屋外に設置する目隠し用のフェンス主体その他の屋外目隠し板等において、方形縁枠へパネルを定着するためのパネル取付構造に関するものである。
【０００２】
【従来の技術】
路上標識や屋外目隠し板は、４本の金属製の框材を方形になるように連結した縁枠の正面側へ、表示用のパネル又は目隠し用のパネルを重ねて取り付けた構造のものが一般的であり、路上標識にあっては複数の控え柱を使用して路上又は床上に傾斜した状態で設置され、屋外目隠し板にあっては支柱に取り付けられる。
従来のこの種のパネル取付構造を図１５に基いて説明する。
図１５の（ｃ）図のように、金属製の縁枠１は、断面四角形の中空材からなる四本の框材１０を方形に連結したものである。この縁枠１の正面側（使用状態における正面側）にはパネル２が重ねられ、パネル２の周縁部の框材１０との重なり部分を多数のテックスビス又はボルト等の止め具２０で当該框材１０へ固定することにより、パネル２を縁枠１へ取り付けていた。
【０００３】
【発明が解決しようとする課題】
従来の方形縁枠へのパネル取付構造によれば、パネル２は止め具２０による接合点でのみ縁枠１へ固定されているため、背面側から繰り返し風圧を受けると、図１５の（ｄ）図のように止め具２０による接合点以外の部分でパネル２が正面側へ突出状に変形したり、止め具２０が正面側へ浮き上がり易かった。
このため、通行人や持ち運び作業員がパネル２の縁部や突出した止め具２０への接触により手足を傷つける危険性があった。
また、止め具２０の外れによりパネル２がずれ、あるいは縁枠１から外れる等の課題があるとともに美観を損なうという課題があった。
【０００４】
本発明の目的は、パネルが縁枠へより強固に固定され、パネルの変形や外れが生じ難いパネル取付構造を提供することにある。
本発明の他の目的は、パネルの縁枠への取り付け及び取り替えを極めて簡単で体裁よく行うことができるパネル取付構造を提供することにある。
【０００５】
【課題を解決するための手段】
本発明に係る方形縁枠へのパネル取付構造は、前述の課題を解決するため以下のように構成したものである。
すなわち、請求項１に記載の方形縁枠へのパネル取付構造は、断面四角形で中空の各框材１０を方形に組み合わせた金属製の縁枠１の正面側に方形のパネル２を重ね、前記パネル２をアルミニウム又はアルミニウム合金製の押出形材からなる各押さえプレート３により各框材１０の正面側へ押し付けたパネル取付構造であって、前記押さえプレート３は、縁枠１の外周面であるそれぞれの框材１０の外側面へ被さる状態の主部３０と、対応する框材１０の正面側幅の全部又は一部へ被さりかつ先端部が当該框材１０の方向へ曲げ下げられて前記パネル２へ接触するパネル押さえ部３１と、対応する框材１０の背面側外周角部へ引っ掛けられる断面鈎状の引掛部３２とから構成され、さらに前記押さえプレート３は、引掛部３２を対応する框材１０の背面側外周角部へ引っ掛けて主部３０へ形成されているボルト通し孔３０ａから前記框材１０の内側に設けられたナット１０ａへねじ４をねじ込んだとき、前記パネル押さえ部３１が前記框材１０の正面側へ徐々に被さるように前記引掛部３２を支点として回動可能であって、かつ前記パネル押さえ部３１により前記パネル２が前記框材１０の正面側へ押付けられる状態に構成されている。
【０００６】
請求項２に記載の方形枠へのパネル取付構造は、請求項１のパネル取付構造において、前記縁枠１の一辺における押さえプレート３の主部３０には、前記各ボルト通し孔３０ａから前記縁枠１の背面側へ連続するスリット３０ｂが形成されている。
【０００７】
【発明の実施の形態】
図１〜図１４を参照しながら、本発明の好適な実施形態を説明する。
第１実施形態
図１は本発明に係るパネル取付構造を路上標識に適用した実施形態の斜視図、図２の（ａ）図は図１の矢印Ａ−Ａに沿う部分拡大断面図、（ｂ）図は図（ａ）の状態からパネルの押さえプレートを緩めた状態の部分拡大断面図、図３は図１のパネル取付構造における押さえプレートの拡大端面図、図４は押さえプレートの変形形態を示す端面図、図５は図１の路上標識のＢ部，Ｃ部及びＤ部を含む部分拡大縦断面図、図６は図１の路上標識のＥ部を含む部分拡大縦断面図、図７は図１の路上標識における上部框材への押さえプレートのねじ止め部を含む部分拡大平面図、図８は図７の矢印Ｆ−Ｆに沿う概略断面図、図９は図１の路上標識のパネルを取り外した状態の部分拡大斜視図、図１０は図１の路上標識における縦方向の框材と控え柱との連結部分を含む拡大斜視図、図１１は図１の路上標識の一方の縦方向框材を取り外して折り畳んだ状態の部分拡大側面図である。
【０００８】
路上標識の主体である縦長で方形の縁枠１は、断面の形状及び寸法が等しい断面四角形でアルミニウム又はアルミニウム合金製の中空押出形材からなる框材１０を連結して組み合わせもので、縦方向の框材１０，１０の下端部には同じ長さの脚部１２が一体に形成されている。
縦方向の框材１０，１０のほぼ中央部は、当該框材１０と同様（断面の形状及び寸法が同じ）な中空の押出形材からなる補強桟１１により互いに連結されている。
縁枠１の正面側には、アルミニウム又はアルミニウム合金製若しくは合成樹脂製で方形のパネル２が重ねられ、このパネル２は、縁枠１の上下及び左右の框材１０へそれぞれ緩め締め自在に取り付けられた押さえプレート３により、正面側へ押し付けられた状態に取り付けられている。
パネル２の正面には、例えば「通行止」，「立入り禁止」その他通行人等への必要な伝達事項が文字，図形，絵又は特定の決められたマーク等により表示される。
【０００９】
押さえプレート３は、アルミニウム又はアルミニウム合金製で断面がアングル状の押出形材であり、図２の（ａ）（ｂ）各図のように、縁枠１の周面であるそれぞれの框材１０の外側面へ被さる主部３０と、框材１０の正面側へ被さって先端部が前記パネル２へ接触する状態で当該パネル２を当該框材１０の正面側へ押し付けるパネル押さえ部３１とから構成されている。
この実施形態では、框材１０の背面側の外角部へ引っ掛けられる断面鉤状の引掛部３２が、主部３０と一体に形成されている。
パネル押さえ部３１は、その先端部を框材１０の方向へ下り傾斜状に曲がった形態とすることにより、当該パネル押さえ部３１の先端部がパネル２へ接触（線接触）するようにしてある。
上記のような構成の押さえプレート３の主部３０の部分を複数のねじ４で框材１０へ固定することにより、前記パネル押さえ部３１の先端部でパネル２を各框材１０の正面側へ弾性により押し付けている。
ねじ４は、錆び難いようにステンレス製であるか又は錆防止加工を施したものが好ましい。
【００１０】
この実施形態では、框材１０へ外側面から中空部へ突入する状態にナット１０ａを所定の間隔に取り付け、当該框材１０と対応する押さえプレート３の主部３０にボルト通し孔３０ａを形成している。そして、頭部に座がね状の鍔を有するボルトからなるねじ４を前記ナット１０ａへねじ込むことにより、ねじ４が締付け方向へより強く作用しかつ当該ねじ４が緩まないようにしてある。
図１の状態における上辺（又は特定の一辺）の押さえプレート３の主部３０には、図１，図７及び図８で示すように、ボルト通し孔３０ａから前記引掛部３２を含む背面側へ通じるようにねじ４の軸の直径よりも幅がやや広いスリット３０ｂが形成されている。したがって、パネル２の取替え等で当該押さえプレート３を取り外す際、ねじ４を取り外すことなく、図８の二点鎖線のように当該ねじ４を必要量緩めた状態で押さえプレート３を正面側へ引き出して取り外すことができる。
【００１１】
この実施形態では、前述のようなパネルの取付状態において、押さえプレート３のパネル押さえ部３１の先端部がパネル２へ接触（ほぼ線接触）し、框材１０の正面側へパネル２を強い弾性で押し付け、かつ、パネル２の厚みの変更に対応できるようにするため、押さえプレート３を以下のように構成している。
すなわち図３で拡大して示すように、押さえプレート３の主部３０の内面幅を対応する框材１０の幅（主部３０との対面幅）ｗよりも大きくし、パネル２を取り付けない状態において、主部３０の内面に対して直角でパネル押さえ部３１の傾斜した先端部への接平面ａと引掛部３２の内側との間隔Ｌを、対応する框材１０の主部３０への対面幅ｗと同じかそれよりもやや小さく設定している。そして、主部３０とパネル押さえ部３１とが形成する内隅角と前記接平面ａとの間隔Ｌ１を、変更されるパネルの最大厚みと同じか又はそれよりもやや大きくなるように設定している。
押さえプレート３をこのように構成することにより、前述のようにねじ４をねじ締めてパネル押さえ部３１の先端部でパネル２を押さえると、パネル押さえ部３１が図３の矢印ハのように正面中央方向へ変移してその弾性がパネルの押し付け方向へ強く作用し、かつ、パネル２の厚みが変更（例えば０．１〜５ｍｍの範囲）されても、パネル２を縁枠１へ十分強固に固定することができるようになっている。
【００１２】
押さえプレート３は前述のように構成するのが好ましいが、図３のような形態に代えて図４のように、主部３０に対してパネル押さえ部３１の全体が、対応する框材１０の方向へ傾斜し又は湾曲するように形成してもほぼ同様な目的を達成することができる。
しかしながら、パネル取付状態において、パネル押さえ部３１の先端部がパネル２へ接触した状態でその弾性により当該パネル２を対応する框材１０へ押し付けるように構成されていれば、押さえプレート３は図３や図４のような形態に限定されない。
なお、押さえプレート３の表面には、長さ方向へ沿うように僅かに突出する凸条と溝とが交互に形成されているが、これは補強のためである。
【００１３】
パネル２を縁枠１へ取り付ける際には、先ず縁枠１の長さの長い左右の框材１０，１０と下部の框材１０ヘ図２の（ｂ）図のように押さえプレート３を緩く取り付ける。
次いで、押さえプレート３が取り付けられていない上部の框材１０の方向より、縁枠１の正面と緩く取付けられている各押さえプレート３のパネル押さえ部３１との間へパネル２を滑らせるようにして差し込み、それらの各押さえプレート３の引掛部３２を対応する框材１０の背面側の外角部へ引っ掛け、各ねじ４をねじて限界まで締め付ける。この際、押さえプレート３は引掛部３２の部分を支点として対応する框材１０の正面側へ回動するように変移し、パネル押さえ部３１の先端部がパネル２の中央方向へ摺動しつつ、パネル２に対する押さえ方向の弾性を次第に強く及ぼすように作用する。
最後に、図１の上部の框材１０へ同様な状態に押さえプレート３を固定する。
以上の要領により、縁枠１へパネル２を簡単にかつ体裁よく取り付けることができる。
【００１４】
パネル２を取り替える際には、その取り付けの際とは逆に、図８で説明した要領で先ず図１の上辺の押さえプレート３を取り外し、他の三辺の押さえプレート３，３を図２の（ｂ）図のように緩め、押さえプレート３が取り外された縁枠１の一辺の方向へパネル２を抜き出す。
次いで、新たなパネル２を縁枠１の正面側へ滑らせる要領で差し込み、上辺の押さえプレート３を再度セットし、各ねじ４を限界までねじ締めて各押さえプレート３を再度固定する要領により、パネル２を簡単にかつ体裁よく取り替えることができる。
【００１５】
この実施形態において、縁枠１は以下のように構成されている。図５で示されているように、左右の框材１０と上辺の框材１０との連結部（図１のＢ部）には、両端部に各框材１０の端部内形に適合する挿入部１３ａ，１３ａが形成された直角状のコーナー継ぎ手１３が使用されている。
コーナー継ぎ手１３は合成樹脂製の成形品又は鋳物製品であり、各挿入部１３ａを対応する框材１０の端部へ押し込み、内隅角近傍において、ねじ１３ｂで各框材１０の端部を対応する挿入部１３ａへ固定することにより、左右の框材１０の端部と上辺の框材１０の対応する端部とを連結している。
【００１６】
同じく図５で示されているように、補強桟１１の各端部内側には、ねじ１４ｂによりナット状の継ぎ手１４が固定されており、この継ぎ手１４と対応する縦方向の框材１０の外側から内側へ貫通するボルト１４ａを、ばねワッシャを介して前記継ぎ手１４へねじ込むことにより、補強桟１１の両端部をそれぞれ対応する框材１０へ連結している。
補強桟１１と框材１０との連結部において、押さえプレート３の主部３０にはボルト１４ａの頭部と干渉しないように孔３０ｃが形成されている。
図６で示されているように、縁枠１の下辺の框材１０と縦方向の框材１０との連結部にも、継ぎ手１４，ボルト１４ａ及びねじ１４ｂが使用され、補強桟１１と縦方向の框材１０との連結部と同様な要領で連結している。
【００１７】
縦方向に沿う各框材１０の中央部よりも上端部寄り位置には、縁枠１を背面方向へ傾斜させた状態で支える控え柱５が、対応する框材１０とほぼ平行に重なる状態から当該框材１０に対して規制された最大開き角度まで揺動する状態にヒンジ金具５０により連結されている。
各控え柱５は、框材１０の材質及び断面寸法が同様な中空の押出形材であり、同様な中空の押出型材からなる上下の桟５１，５２により互いに連結されている。各控え柱５と上下の桟５１，５２との連結要領は、図５で示されている補強桟１１と縦方向の各框材１０との連結要領と同じである。
ヒンジ金具５０は、図１０で示されているように、両側壁の頂部がほぼ三角形又は円弧状に形成された溝状の成形部材であり、その一端端部内側へ沈む状態に控え柱５の上端部を挿入し、それぞれカシメ具５０ｂにより、ヒンジ金具５０の両側壁と底部とを控え柱５の上端部へ固定している。
各控え柱５の上端部へ取り付けられたヒンジ金具５０は、対応する框材１０の背面側へ被さるようにセットし、図５で示すように框材１０と当該ヒンジ金具５０の両側壁頂部とを、ボルトからなるヒンジピン５０ａとナット５０ｂにより回動自在に連結している。
縦方向の框材１０に対するヒンジ金具５０の取付部においては、当該ヒンジ金具５０と干渉しないように、押さえプレート３の主部３０から引掛部３２にわたるように切欠部３０ｄが形成されている。
【００１８】
この実施形態では、図１０のように縦方向の框材１０の背面側へ重なる状態から、図１のようにヒンジ金具５０の頂部内縁が当該框材１０の背面へ接触する状態まで、当該框材１０に対して約３５°前後の範囲で図１の矢印イのように揺動する。
【００１９】
縁枠１の下部の框材１０と控え柱５の下部の桟５２との間には、一端が当該框材１０へヒンジ連結された揺動自在な棚６が架設されている。この棚６には、図１のような状態での使用中に、風その他の外力により標識が飛んだり動いたりしないように、図示しない砂袋その他の重量物が載せられる。
図９で拡大して示すように、棚６は金属の丸棒からなる両側の揺動バー６０，６０と、所定の間隔で平行するように両端が対応する揺動バー６０へ連結された金属の丸棒からなる複数の桟６１とから構成されている。
図５及び図９で示されているように、下部の框材１０の両端寄り部分の上面には、カシメ具６３によりＬ字状の支承金具６２がぞれぞれ取付けられており、各支承金具６２には、それぞれ対応する揺動バー６０の基端の垂直偏平部６０ａがボルト６４とナット６４ａとにより回動自在に連結されている。
各揺動バー６０の自由端部には水平偏平部６０ｂが形成され、この水平偏平部６０ｂの下面には、下部の桟５２へ被さるように溝状の係止金具６５が溶接その他適当な手段により固定されている。
【００２０】
以上のように構成されているので、図１の状態から棚６を矢印ロの上向き方向へ揺動させるとともに、控え柱５をその下端部が縁枠１の脚部１２へ接近するように揺動させ、図１１のように縦方向の各框材１０と対応する控え柱５とが重なる状態（偏平状態）に折り畳むことができる。
縁枠１と控え柱５とを前述のように偏平に折り畳んだ状態では、棚６の自由端部の係止金具６５が控え柱５，５の上部の桟５１の正面側へ係止され（被さる）又は接触するように構成されている。
図１１のような折り畳み状態では棚６の自由端部が上部の桟５１の正面側へ係止され又は接触するように構成してあるので、路上標識を折り畳んで直立又は背面方向へ傾斜状状態にした場合でも棚６が縁枠１の背面側へ倒れることはなく、偏平に折り畳んだ状態での取り扱いに至便である。
なお、図１及び図９における棚６の自由端側を基端として下部の桟５２へ矢印ロに沿って揺動するように取り付け、棚６の他方の端部が下辺の框材１０の上に載り又は係止される状態に構成しても実施することができる。この場合でも、路上標識を折り畳んだときに、棚６の自由端側が上部の桟５１の正面側へ接触し又は係止されるように構成することが望ましい。
【００２１】
第１実施形態のパネル取付構造（路上標識）によれば、第１に、押さえプレート３は、引掛部３２を対応する框材１０の背面側外周角部へ引っ掛けて主部３０へ形成されているボルト通し孔３０ａから前記框材１０の内側に設けられたナット１０ａへねじ４をねじ込んだとき、前記パネル押さえ部３１が前記框材１０の正面側へ徐々に被さるように前記引掛部３２を支点として回動可能であって、かつ前記パネル押さえ部３１により前記パネル２が前記框材１０の正面側へ押付けられる状態に構成されているので、パネル押さえ部３１のパネル２に対する押さえ圧力がより効率的に作用する。そのため、パネル２の取付状態が強固であり、背面側から風圧を受けてもパネル２が縁枠１から外れることはない。
第２に、パネル２の縁枠１への取り付け及び取り替えを、極めて簡単かつ体裁よく行うことができる。
第３に、パネル取付状態においてパネル押さえ部３１の先端部がパネル２へほぼ線接触するように構成されているので、パネル２の所定範囲の肉厚の変化に対応してパネル２を縁枠１へ強固に取り付けることができる。
第４に、縁枠１はアルミニウム又はその合金による中空の押出形材であるので軽量で取り扱い易い。
第５に、各框材１０には外側面側から中空部へ突入する状態にナット１０ａが所定の間隔で設けられており、当該框材１０と対応する押さえプレート３の主部３０にはボルト通し孔３０ａが形成され、当該ボルト通し孔３０ａを通じてナット部１０ヘボルトからなるねじ４が前記ナット１０ａへねじ込まれるので、ねじ４が締付け方向へより強く作用しかつ当該ねじ４が緩まない。
第６に、縁枠１の一辺の框材１０へ被さる押さえプレート３の主部３０には、各ボルト通し孔３０ａから前記引掛部３２を含む背面側へ通じるようにねじ４の軸の直径よりも幅がやや広いスリット３０ｂが形成されているので、パネル２の取替え等で当該押さえプレート３を取り外す際、ねじ４を取り外すことなく当該ねじ４を必要量緩めた状態で押さえプレート３を正面側へ引き出して簡単に取り外すことができる。
【００２２】
第２実施形態
図１２は本発明に係るパネル取付構造を仮設フェンス用のフェンス主体に適用した実施形態の部分破断正面図、図１３は図１２のフェンス主体における一方の上下コーナー部の部分拡大縦断面図、図１４は図１２のフェンス主体を使用した仮設フェンスの部分正面図である。
【００２３】
フェンス主体７は、横長方形の縁枠１の正面へパネル２を重ねて固定したものである。  縁枠１は、第１実施形態のパネル取付構造におけると同様な材質及び断面形状の押出形材からなる対の縦横の框材１０を連結して組み合わせたもので、当該縁枠１の正面側には、第１実施形態と同様な要領でパネル２が取り付けられている。
縁枠１の上下の框材１０は、第１実施形態と同様な要領で複数の補強桟１１により互いに連結されている。
縦方向の押さえプレート３の一方は、第１実施形態のパネル取付構造における上辺の押さえプレート３と同様に、主部３０にはボルト通し孔から背面側に達するように、ねじ４の軸の直径よりもやや幅の拾いスリットが形成されている。
【００２４】
各縦方向の框材１０と各横方向の框材１０との対応する端部の連結部には、図１３で示されているように、第１実施形態（図５）におけると同様に両端部へ挿入部１３ａ，１３ａを有する直角状のコーナー継ぎ手１３がそれぞれ使用されている。
各コーナー継ぎ手１３の各挿入部１３ａは対応する框材１０の端部へ押し込まれ、横方向の挿入部１３ａは縁枠１の内隅角近傍においてねじ１３ｂにより横方向の框材１０へ固定されている。
縦方向に沿う各框材１０の上下の端部又は当該端部近傍の外側面には、下向き鉤状のフック金具７０が取り付けられている。
各フック金具７０は金属の丸棒の先端部を垂直な基部７０ａに対して鉤状のフック部に曲げ加工するとともに、当該基部７０ａを偏平に加工したものであり、垂直で偏平な基部７０ａは、ねじ１３ｂにより縦方向の框材１０の対応する端部及びそれと対応するコーナー継ぎ手１３の挿入部１３ａと固定されるとともに、さらにカシメ具１３ｃにより対応する框材１０へ固定されている。
【００２５】
以上のように構成されたフェンス主体７は、図１４で示されているように、路面上に適当な間隔で立設された支柱８，８相互の間へ、方形の縁枠を有するネット状又は格子状の上部のフェンス主体７ａとともに吊り下げ状に取り付けられ、目隠し用のフェンス主体として使用される。
各支柱６の両側には、各フェンス主体７，７ａの両側上下のフック金具７０と対応する高さ位置へ上下方向に沿って筒状又は環状のフック受け金具８０が取り付けられており、各フェンス主体７，７ａは、各支柱８の対応するフック受け金具８０へそれぞれのフック金具７０を引っ掛ける要領で吊り下げられている。
各支柱８は伸縮調整可能で揺動自在な筒状の金属バーであり、それらの背面側にはそれぞれ図示しない控え柱が取り付けられているので、直立状態を保っている。
【００２６】
前記実施形態のパネル取付構造を含むフェンス主体７によれば、仮設フェンス等の目隠し用のフェンス主体として使用するのに適するとともに、第１実施形態のパネル取付構造の路上標識としての作用効果以外の作用効果を奏する。
【００２７】
【発明の効果】
請求項１の発明に係る方形縁枠へのパネル取付構造によれば、押さえプレート３は、引掛部３２を対応する框材１０の背面側外周角部へ引っ掛けて主部３０へ形成されているボルト通し孔３０ａから前記框材１０の内側に設けられたナット１０ａへねじ４をねじ込んだとき、前記パネル押さえ部３１が前記框材１０の正面側へ徐々に被さるように前記引掛部３２を支点として回動可能であって、かつ前記パネル押さえ部３１により前記パネル２が前記框材１０の正面側へ押付けられる状態に構成されているので、パネル押さえ部３１のパネル２に対する押さえ圧力がより効率的に作用する。そのため、パネル２の取付状態が強固であり、背面側から風圧を受けてもパネル２が縁枠１から外れることはない。
また、パネル２の縁枠１への取り付け及び取り替えを極めて簡単かつ体裁よく行うことができるほか、パネル２の所定範囲内での厚みの変更に対応することができる。
【００２８】
請求項２の発明に係るパネル取付構造によれば、縁枠１の一辺の框材１０へ被さる押さえプレート３の主部３０には、各ボルト通し孔３０ａから前記引掛部３２を含む背面側へ通じるようにねじ４の軸の直径よりも幅がやや広いスリット３０ｂが形成されているので、パネル２の取り替え等で当該押さえプレート３を取り外す際、ねじ４を取り外すことなく当該ねじ４を必要量緩めた状態で押さえプレート３を正面側へ引き出すことにより簡単に取り外すことができる。
【図面の簡単な説明】
【図１】  本発明に係るパネル取付構造を路上標識に適用した実施形態の斜視図である。
【図２】  （ａ）図は図１の矢印Ａ−Ａに沿う一部省略拡大断面図、同図の（ｂ）図は図（ａ）の状態からパネルの押さえプレートを縁枠の框材から緩めた状態の一部省略拡大断面図である。
【図３】  図１のパネル取付構造における押さえプレートの拡大端面図である。
【図４】  押さえプレートの変形形態を示す拡大端面図である。
【図５】  図１の路上標識のＢ部，Ｃ部及びＤ部を含む部分拡大縦断面図である。
【図６】  図１の路上標識のＥ部を含む部分拡大縦断面図である。
【図７】  図１の路上標識における上部框材への押さえプレートのねじ止め部を含む部分拡大平面図である。
【図８】  図７の矢印Ｆ−Ｆに沿う概略断面図である。
【図９】  図１の路上標識のパネルを取り外した状態の部分拡大斜視図である。
【図１０】  図１の路上標識における縦方向の框材と控え柱との連結部分の拡大斜視図である。
【図１１】  図１の路上標識の一方の縦方向の框材を取り外して折り畳んだ状態の部分拡大側面図である。
【図１２】  本発明に係るパネル取付構造を仮設フェンス用のフェンス主体に適用した実施形態の部分破断正面図である。
【図１３】  図１２のフェンス主体の一方の上下コーナー部の部分拡大縦断面図である。
【図１４】  図１２のフェンス主体を使用した仮設フェンスの部分正面図である。
【図１５】  （ｃ）図は従来の方形縁枠へのパネル取付構造を示す一部省略断面図、（ｄ）図は（ｃ）図のパネル取付構造の不具合状態を示す概略側面図である。
【符号の説明】
１ 縁枠
１０ 框材
１０ａ ナット
１１ 補強桟
１２ 脚部
１３ コーナー継ぎ手
１３ａ 挿入部
１３ｂ ねじ
１３ｃ カシメ具
１４ ナット状の継ぎ手
１４ａ ボルト
１４ｂ ねじ
２ パネル
２０ 止め具
３ 押さえプレート
３０ 主部
３０ａ ボルト通し孔
３０ｂ スリット
３０ｃ 孔
３０ｄ，３０ｅ 切欠部
３１ パネル押さえ部
３２ 引掛部
４ ねじ
５ 控え柱
５０ ヒンジ金具
５０ａ ボルト
５０ｂ ナット
５０ｃ カシメ具
５１，５２ 上下の桟
６ 棚
６０ 揺動バー
６０ａ 垂直偏平部
６０ｂ 水平偏平部
６１ 桟
６２ 支承金具
６３ カシメ具
６４ ボルト
６４ａ ナット
６５ 係止金具
７，７ａ フェンス主体
７０ フック金具
８ 支柱
８０ フック受け金具
【図１】
0004263847.tif 000002
【図２】
0004263847.tif 000003
【図３】
0004263847.tif 000004
【図４】
0004263847.tif 000005
【図５】
0004263847.tif 000006
【図６】
0004263847.tif 000007
【図７】
0004263847.tif 000008
【図８】
0004263847.tif 000009
【図９】
0004263847.tif 000010
【図１０】
0004263847.tif 000011
【図１１】
0004263847.tif 000012
【図１２】
0004263847.tif 000013
【図１３】
0004263847.tif 000014
【図１４】
0004263847.tif 000015
【図１５】
0004263847.tif 000016